(57)【要約】      （修正有）【課題】ＦＰＣの挿入力が掛からないで、一つの操作で必要な部分の上下の基板との信号のやり取りが可能なコネクタを提供する。【解決手段】第一コンタクト１４は接触部２６と他端側に回動部材１８により押圧される押受部３２とを有する第一片２２と一端側に接触部２６と対向する方向に延設された延設部３６と他端側に基板と接続する接続部４０とを有する第ニ片２４と連結する連結支点部３０とを備え、ハウジング１２は挿入孔４８を第一コンタクト１４が上下逆に挿入できる形状にし、回動部材１８は回動させるための操作部５６と長手方向に連設した押圧部５４と押受部３２が挿入できる別個独立の係止孔５８とを備え、押圧部５４が第一コンタクト１４の接続部４０と押受部３２との間で回動するようにハウジング１２に装着され、要望に応じて所定の位置ごとに第一コンタクト１４を上下逆に挿入することで、上下の基板に接続可能とする。【選択図】図５
2008305565.tif 000002
【特許請求の範囲】
【請求項１】
接続対象物と着脱自在に嵌合するコネクタであって、前記接続対象物と接触する接触部を有する所要数のコンタクトと、該コンタクトが配列・保持される挿入孔と前記接続対象物が挿入される嵌合口を有するハウジングと、前記コンタクトを押圧・変形する回動部材とを備えるコネクタにおいて、
第一コンタクトは、一端側に前記接続対象物と接触する接触部と他端側に前記回動部材により押圧される押受部とを有する第一片と、一端側に前記接触部と対向する方向に延設された延設部と他端側に基板と接続する接続部とを有する第ニ片と、前記第一片と前記第二片とを連結する連結支点部とを備え、前記接触部と前記連結支点部と前記接続部とを略クランク形状に配置し、
前記ハウジングは、前記第一コンタクトの接触部を被覆する天井部を有し、前記挿入孔を前記第一コンタクトが上下逆に挿入できる形状にし、
前記回動部材は、回動させるための操作部と長手方向に連設した押圧部と前記押受部が挿入できる別個独立の係止孔とを備え、前記押圧部が前記第一コンタクトの接続部と押受部との間で回動するように前記ハウジングに装着され、
要望に応じて所定の位置ごとに前記第一コンタクトを上下逆に挿入することで、上下の基板に接続可能にすることを特徴とするコネクタ。
【請求項２】
接続対象物と着脱自在に嵌合するコネクタであって、前記接続対象物と接触する接触部を有する所要数のコンタクトと、このコンタクトが配列・保持されるとともに前記接続対象物が挿入される嵌合口を有するハウジングと、前記コンタクトを押圧する回動部材とを備えるコネクタにおいて、
２種類のコンタクトを千鳥に配置し、
第一コンタクトは、一端側に前記接続対象物と接触する接触部と他端側に前記回動部材により押圧される押受部とを有する第一片と、一端側に前記接触部と対向する方向に延設された延設部と他端側に基板と接続する接続部とを有する第ニ片と、前記第一片と前記第二片とを連結する連結支点部とを備え、前記接触部と前記連結支点部と前記接続部とを略クランク形状に配置し、
第二コンタクトは、一端側に前記接続対象物と接触する接触部と他端側に前記回動部材により押圧される押受部とを有する第一片と、一端側に基板と接続する接続部と他端側に前記押受部と対向する方向に延設された延設部とを有する第ニ片と、前記第一片と前記第二片とを連結する連結支点部とを備え、前記接触部と前記連結支点部と前記接続部とを略倒Ｕ字形状に配置し、
前記ハウジングは、第一コンタクト及び第二コンタクトの接触部を被覆する天井部を有し、前記挿入孔を前記第一コンタクト及び前記第二コンタクトが上下逆に挿入できる形状にし、
前記回動部材は、回動させるための操作部と長手方向に連設した押圧部と前記押受部が挿入できる別個独立の係止孔とを備え、前記押圧部が前記第一コンタクトの接続部と押受部との間及び第二コンタクトの押受部と前記ハウジングとの間で回動するように前記ハウジングに装着され、
要望に応じて所定の位置ごとに前記第一コンタクト及び前記第二コンタクトを上下逆に挿入することで、上下の基板に接続可能にすることを特徴とするコネクタ。
【請求項３】
前記第一コンタクトの前記接続部の前記押受部と対向する面に凹部を設け、前記回動部材を前記凹部を支点にして回動させることで、確実に上下に配置されたそれぞれの第一コンタクト及び第二コンタクトの押受部を押圧し、第一コンタクト及び第二コンタクトの接触部と接続対象物とを接続させることを特徴とする請求項１または２記載のコネクタ。
【請求項４】
前記回動部材を一方方向に回動するだけで、上下逆に配置された全ての前記第一コンタクト及び前記第二コンタクトの接触部を前記接続対象物に接触させることを特徴とする請求項１、２または３記載のコネクタ。
【請求項５】
前記第一コンタクト及び前記第二コンタクトの前記押受部の先端に内側に突出した突出部を設け、該突出部を前記回動部材の係止孔と係合させることを特徴とする請求項１、２または３、４記載のコネクタ。
【発明の詳細な説明】
【技術分野】
【０００１】
本発明は、薄型プラズマテレビやノートパソコン等の電気又は電子機器に使用されるフレキシブルプリント基板（以下「ＦＰＣ」という）を使用したコネクタに関するもので、特に上下に配置された基板に接続できるコネクタの構造に関するものである。
【背景技術】
【０００２】
携帯電話やＣＣＤカメラ等に使用されるコネクタは、狭ピッチで極薄（所謂軽薄短小）であり、１つのタイプは主にハウジングとコンタクトとを備え、ハウジングにＦＰＣを挿入し、コンタクトの接触部に接触させる構造のもの（所謂、ノンＺＩＦタイプ）やまた違うタイプとしては主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプの所謂バックロックタイプとしての特許文献１（特開２００３−２９７４８９）と特許文献２（特開平１１−３０７１９８号）と本出願人が既に提案した特許文献３（特開２００４−７１１６０）を例示する。また、ＦＦＣをロックする構造として、特許文献４（実開平６−８２７８３号）及び本出願人が既に提案した特許文献５（特願２００３−４２２２５８）と防塵性を高めるために本出願人が既に提案した特許文献６（特願２００４−３０７７９３）と特許文献７（特願２００５−１７８６６６）を例示する。
【特許文献１】特開２００３−２９７４８９の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。
【特許文献２】特開平１１−３０７１９８号の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。
【特許文献３】特開２００４−７１１６０の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。
【特許文献４】実開平６−８２７８３号の要約によると、フレキシブルケーブルの裏面にリジットな補強板が取り付けられているフラットケーブルでも容易にスライダーの爪に係止させられることを目的とし、コンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設した構造のものが開示されている。
【特許文献５】ＦＰＣをロックする構造として、本出願人が提案した特願２００３−４２２２５８に、少芯数のコネクタでも、要求されたＦＰＣの保持力を確保することができ、接続不良にも繋がらないコネクタを提供することを目的に、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにすることにより達成でき、更に前記係合部に対応した位置に溝部を設けることでより確実なロックができる構造のコネクタが開示されている。
【特許文献６】防塵性を高めるために、本出願人が提案した特願２００４−３０７７９３の要約には、ＦＰＣの挿入力が掛からないで、防塵性を高めるコネクタを提供することを目的とし、所要数のコンタクトとハウジングと回動部材とを備えるコネクタにおいて、コンタクトは少なくと接触部と接続部と支点部と連結部と押受部とを備え、略倒Ｈ形状に配置し、接続部と押受部との間で回動部材の押圧部を回動させると接触部が接続対象物に接続するような構造にし、ハウジングにはコンタクトの接触部を被覆する天井部と押受部を覆う上壁部とを備え、回動部材には操作部と押圧部と押受部と係止孔とカバー部とを備え、回動部材が回動した後、回動部材のカバー部でコンタクトテール側を覆うようにする構造のものが開示されている。
【特許文献７】防塵性を高めるために、本出願人が提案した特願２００５−１７８６６６の要約には、ＦＰＣの挿入力が掛からないで、防塵性を高めるコネクタを提供することを目的とし、所要数のコンタクトとハウジングと回動部材とを備えるコネクタにおいて、コンタクトは少なくと接触部と接続部と支点部と連結部と押受部とを備え、略倒Ｈ形状に配置し、接続部と押受部との間で回動部材の押圧部を回動させると接触部が接続対象物に接続するような構造にし、ハウジングにはコンタクトの接触部を被覆する天井部と押受部を覆う上壁部とを備え、回動部材には操作部と押圧部と押受部と係止孔とカバー部とを備え、回動部材が回動した後、上壁部の先端と操作部との間及び上壁部と回動部材の操作部と反対側の先端との間を、回動時に回動部材がハウジングの上壁部に触れない範囲で狭くする構造のものが開示されている。
【発明の開示】
【発明が解決しようとする課題】
【０００３】
近年、電気・電子機器の小型化が進むにつれ、コネクタの小型化の要求も強くなってきており、コネクタはより一層軽薄短小化が進んできている。軽薄短小化が進む中、アクチュエータやスライダー等の回動部材の稼動するスペースを確保するため、コンタクト上面（特にテール側）を露出することが公の事実となっている。また、同じようにアクチュエータやスライダー等の回動部材を回動させることで接続対象物と接続させるコネクタの中にも、コネクタの小型化（低背化）の要求がされることがなく、防塵性を高めるものがある。さらに、ＦＰＣ等の接続対象物をコネクタに挿入する際には挿入力の掛からない構造のものが要求されている。
最近、上記の要求以外に、上下並行に配置された基板にコネクタを接続し、必要な部分の接続対象物と上下基板との信号のやり取りをしたいという要望がでてきている。（例えば、接続対象物が４０パターンある場合に、パターンの１、５、１０〜２５は上の基板との信号やり取りを、その他のパターンは下の基板との信号やり取りを行いたいという要望である。）一般的には、上下の基板と接続する場合は２つのコネクタを使用することが多い。
上述した特許文献には、上下基板接続できる構造にはなっていないし、接続できない。
【０００４】
本発明は、このような従来の問題点に鑑みてなされたもので、接続対象物の挿入力が掛からないで、一つの操作で必要な部分の上下の基板との信号やり取りが可能な構造のコネクタを提供せんとするものである。
【課題を解決するための手段】
【０００５】
上記目的は、請求項１に記載したように、接続対象物と着脱自在に嵌合するコネクタ１０であって、前記接続対象物と接触する接触部２６を有する所要数のコンタクト１４と、該コンタクト１４が配列・保持されるとともに前記接続対象物が挿入される嵌合口２０を有するハウジング１２と、前記コンタクト１４を押圧する回動部材１８とを備えるコネクタ１０において、前記第一コンタクト１４は、一端側に前記接続対象物と接触する接触部２６と他端側に前記回動部材１８により押圧される押受部３２とを有する第一片２２と、一端側に前記接触部２６と対向する方向に延設された延設部３６と他端側に基板９０と接続する接続部４０とを有する第ニ片２４と、前記第一片２２と前記第二片２４とを連結する連結支点部３０とを備え、前記接触部２６と前記連結支点部３０と前記接続部４０とを略クランク形状に配置し、前記ハウジング１２は、前記第一コンタクト１４の接触部２６を被覆する天井部５０を有し、前記挿入孔４８を前記第一コンタクト１４が上下逆に挿入できる形状にし、前記回動部材１８は、回動させるための操作部５６と長手方向に連設した押圧部５４と前記押受部３２が挿入できる別個独立の係止孔５８とを備え、前記押圧部５４が前記第一コンタクト１４の接続部４０と押受部３２との間で回動するように前記ハウジング１２に装着され、要望に応じて所定の位置ごとに前記第一コンタクト１４を上下逆に挿入することで、上下の基板９０に接続可能にすることにより達成できる。
【０００６】
より狭ピッチを図るためには、請求項２に記載したように、接続対象物と着脱自在に嵌合するコネクタ１０であって、前記接続対象物と接触する接触部２６を有する所要数のコンタクト１４、１６と、このコンタクト１４、１６が配列・保持されるとともに前記接続対象物が挿入される嵌合口２０を有するハウジング１２と、前記コンタクト１４、１６を押圧する回動部材１８とを備えるコネクタ１０において、２種類の第一コンタクト１４、第二コンタクト１６を千鳥に配置し、前記第一コンタクト１４は、一端側に前記接続対象物と接触する接触部２６と他端側に前記回動部材１８により押圧される押受部３２とを有する第一片２２と、一端側に前記接触部２６と対向する方向に延設された延設部３６と他端側に基板９０と接続する接続部４０とを有する第ニ片２４と、前記第一片２２と前記第二片２４とを連結する連結支点部３０とを備え、前記接触部２６と前記連結支点部３０と前記接続部４０とを略クランク形状に配置するとともに前記接続部の上部に半田上がり防止手段を設け、第二コンタクト１６は、一端側に前記接続対象物と接触する接触部２６と他端側に前記回動部材１８により押圧される押受部３２とを有する第一片２２と、一端側に基板９０と接続する接続部４０と他端側に前記押受部３２と対向する方向に延設された延設部３６とを有する第ニ片２４と、前記第一２２片と前記第二片２４とを連結する連結支点部３０とを備え、前記接触部２６と前記連結支点部３０と前記接続部４０とを略倒Ｕ字形状に配置し、前記ハウジング１２は、前記第一コンタクト１４及び第二コンタクト１６の接触部２６を被覆する天井部５０を有し、前記挿入孔４８を前記第一コンタクト１４及び前記第二コンタクト１６が上下逆に挿入できる形状にし、前記回動部材１８は、回動させるための操作部５６と長手方向に連設した押圧部５４と前記押受部３４が挿入できる別個独立の係止孔５８とを備え、前記押圧部５４が一方の前記第一コンタクト１４の接続部４０と押受部３４との間及び第二コンタクト１６の押受部３２と前記ハウジング１２との間でで回動するように前記ハウジング１２に装着され、要望に応じて所定の位置ごとに前記第一コンタクト１４及び前記第二コンタクト１６を上下逆に挿入することで、上下の基板９０に接続可能にすることで達成できる。
【０００７】
請求項３記載のコネクタ１０は、前記第一コンタクト１４の前記接続部２６の前記押受部３２と対向する面に凹部を設け、前記回動部材を前記凹部４７を支点にして回動させることで、確実に上下に配置されたそれぞれの第一コンタクト１４及び第二コンタクト１６の押受部３２を押圧し、第一コンタクト１４及び第二コンタクト１６の接触部２６と接続対象物とを接続させることを特徴とする請求項１または２記載のコネクタにある。
また、請求項４記載のコネクタ１０は、前記回動部材１６を一方方向に回動するだけで、上下逆に配置された全ての前記第一コンタクト１４及び前記第二コンタクト１６の接触部２６を前記接続対象物に接触させることを特徴とする請求項１、２または３記載のコネクタ１０にある。
さらに、請求項５記載のコネクタ１０は、前記第一コンタクト１４及び前記第二コンタクト１６の前記押受部３２の先端に内側に突出した突出部４２を設け、該突出部４２を前記回動部材１６の係止孔５８に係合させることを特徴とする請求項１、２または３、４記載のコネクタ１０にある。
【発明の効果】
【０００８】
以上の説明から明らかなように、本発明のコネクタ１０によると、次のような優れた顕著な効果が得られる。
（１）請求項１に記載したように、接続対象物と着脱自在に嵌合するコネクタ１０であって、前記接続対象物と接触する接触部２６を有する所要数のコンタクト１４と、該コンタクト１４が配列・保持されるとともに前記接続対象物が挿入される嵌合口２０を有するハウジング１２と、前記コンタクト１４を押圧する回動部材１８とを備えるコネクタ１０において、前記第一コンタクト１４は、一端側に前記接続対象物と接触する接触部２６と他端側に前記回動部材１８により押圧される押受部３２とを有する第一片２２と、一端側に前記接触部２６と対向する方向に延設された延設部３６と他端側に基板９０と接続する接続部４０とを有する第ニ片２４と、前記第一片２２と前記第二片２４とを連結する連結支点部３０とを備え、前記接触部２６と前記連結支点部３０と前記接続部４０とを略クランク形状に配置し、前記ハウジング１２は、前記第一コンタクト１４の接触部２６を被覆する天井部５０を有し、前記挿入孔４８を前記第一コンタクト１４が上下逆に挿入できる形状にし、前記回動部材１８は、回動させるための操作部５６と長手方向に連設した押圧部５４と前記押受部３２が挿入できる別個独立の係止孔５８とを備え、前記押圧部５４が前記第一コンタクト１４の接続部４０と押受部３２との間で回動するように前記ハウジング１２に装着され、要望に応じて所定の位置ごとに前記第一コンタクト１４を上下逆に挿入することで、上下の基板９０に接続可能にしているので、接続対象物の挿入力が掛かることがなく、回動部材１６を回動させる（一つの動作）だけで、必要な部分について上下の基板９０と接続できる。
（２）請求項２に記載したように、接続対象物と着脱自在に嵌合するコネクタ１０であって、前記接続対象物と接触する接触部２６を有する所要数のコンタクト１４、１６と、このコンタクト１４、１６が配列・保持されるとともに前記接続対象物が挿入される嵌合口２０を有するハウジング１２と、前記コンタクト１４、１６を押圧する回動部材１８とを備えるコネクタ１０において、２種類の第一コンタクト１４、第二コンタクト１６を千鳥に配置し、前記第一コンタクト１４は、一端側に前記接続対象物と接触する接触部２６と他端側に前記回動部材１８により押圧される押受部３２とを有する第一片２２と、一端側に前記接触部２６と対向する方向に延設された延設部３６と他端側に基板９０と接続する接続部４０とを有する第ニ片２４と、前記第一片２２と前記第二片２４とを連結する連結支点部３０とを備え、前記接触部２６と前記連結支点部３０と前記接続部４０とを略クランク形状に配置するとともに前記接続部の上部に半田上がり防止手段を設け、第二コンタクト１６は、一端側に前記接続対象物と接触する接触部２６と他端側に前記回動部材１８により押圧される押受部３２とを有する第一片２２と、一端側に基板９０と接続する接続部４０と他端側に前記押受部３２と対向する方向に延設された延設部３６とを有する第ニ片２４と、前記第一２２片と前記第二片２４とを連結する連結支点部３０とを備え、前記接触部２６と前記連結支点部３０と前記接続部４０とを略倒Ｕ字形状に配置し、前記ハウジング１２は、前記第一コンタクト１４及び第二コンタクト１６の接触部２６を被覆する天井部５０を有し、前記挿入孔４８を前記第一コンタクト１４及び前記第二コンタクト１６が上下逆に挿入できる形状にし、前記回動部材１８は、回動させるための操作部５６と長手方向に連設した押圧部５４と前記押受部３４が挿入できる別個独立の係止孔５８とを備え、前記押圧部５４が一方の前記第一コンタクト１４の接続部４０と押受部３４との間及び第二コンタクト１６の押受部３２と前記ハウジング１２との間でで回動するように前記ハウジング１２に装着され、要望に応じて所定の位置ごとに前記第一コンタクト１４及び前記第二コンタクト１６を上下逆に挿入することで、上下の基板９０に接続可能にしているので、狭ピッチ化が可能で、かつ、接続対象物の挿入力が掛かることがなく、回動部材１６を回動させる（一つの動作）だけで、必要な部分について上下の基板９０と接続できる。
（３）請求項３記載のコネクタ１０は、前記第一コンタクト１４の前記接続部２６の前記押受部３２と対向する面に凹部を設け、前記回動部材を前記凹部４７を支点にして回動させることで、確実に上下に配置されたそれぞれの第一コンタクト１４及び第二コンタクト１６の押受部３２を押圧し、第一コンタクト１４及び第二コンタクト１６の接触部２６と接続対象物とを接続させることを特徴とする請求項１または２記載のコネクタにしているので、確実に前記回動部材１６を回動することができ、上下に配置したそれぞれの前記第一コンタクト１４及び前記第二コンタクト１６の接触部２６と接続対象物とを接続させることができる。
（４）請求項３記載のコネクタ１０は、前記回動部材１６を一方方向に回動するだけで、上下逆に配置された全ての前記第一コンタクト１４及び前記第二コンタクト１６の接触部２６を前記接続対象物に接触させることを特徴とする請求項１、２または３記載のコネクタ１０にしているので、回動部材１６を回動させる（一つの動作）だけで、必要な部分について上下の基板９０と接続できる。
（４）請求項４記載のコネクタ１０は、前記第一コンタクト１４及び前記第二コンタクト１６の前記押受部３２の先端に内側に突出した突出部４２を設け、該突出部４２を前記回動部材１６の係止孔５８に係合させることを特徴とする請求項１、２または３、４記載のコネクタ１０にしているので、確実に回動部材１６の回動を制御することができる。
【発明を実施するための最良の形態】
【０００９】
本発明の特徴は、回動部材をどちらか一方に回動させるだけで、上下に配置された基板との接続を図れるコネクタである。つまり、ハウジングの挿入孔をコンタクトが上下逆に挿入できるようにし、かつ、コンタクトを同一形状でも、回動部材の回動に支障がなく、回動させることで接続対象物との安定した接続が図れ、上下の基板との接続も可能にしたものである。
【実施例】
【００１０】
図１から図９に基づいて、本発明の一実施例について説明する。
図１（Ａ）は嵌合口側（ＦＰＣ挿入側）よりみた回動部材が開いた状態のコネクタの斜視図であり、（Ｂ）は接続部（第一コンタクトの接続部）側からみた回動部材が開いた状態のコネクタの斜視図である。図２はハウジングの斜視図であり、図３は回動部材の斜視図である。図４（Ａ）は第一コンタクトの斜視図であり、（Ｂ）は第二コンタクトの斜視図である。図５（Ａ）は回動部材が開いた状態で、接続部が下側の基板と接続する状態の第一コンタクト部分の断面図であり、（Ｂ）は回動部材が開いた状態で、接続部が上側の基板と接続する状態の第一コンタクト部分の断面図である。図６（Ａ）は回動部材が開いた状態で、接続部が下側の基板と接続する状態の第二コンタクト部分の断面図であり、（Ｂ）は回動部材が開いた状態で、接続部が上側の基板と接続する状態の第二コンタクト部分の断面図である。図７（Ａ）はＦＰＣが挿入され、回動部材が閉じた状態で、接続部が下側の基板と接続する状態の第一コンタクト部分の断面図であり、（Ｂ）はＦＰＣが挿入され、回動部材が閉じた状態で、接続部が上側の基板と接続する状態の第一コンタクト部分の断面図である。図８（Ａ）はＦＰＣが挿入され、回動部材が閉じた状態で、接続部が下側の基板と接続する状態の第二コンタクト部分の断面図であり、（Ｂ）はＦＰＣが挿入され、回動部材が閉じた状態で、接続部が上側の基板と接続する状態の第二コンタクト部分の断面図である。図９は回動部材の押圧部の移動及び回動の仕方を説明する説明図である。
以下の実施例では、２種類のコンタクト（第一コンタクト１４と第二コンタクト１６）がハウジングへの挿入方向を変えて千鳥に配置された構造のコネクタ１０を例示して説明する。挿入方向を変えて千鳥に配列することによってピッチの狭小化と低背位化に対応させたものである。
本実施例の本発明のコネクタ１０は、主にハウジング１２と回動部材１８と第一コンタクト１４と第二コンタクト１６とを備えている。
【００１１】
まず、図４に基づいて、２種類の第一コンタクト１４と第二コンタクト１６について説明する。この２種類の第一コンタクト１４と第二コンタクト１６は金属製であり、公知技術のプレス加工によって製作されている。前記第一コンタクト１４と前記第二コンタクト１６の材質としては、バネ性や導電性などが要求されるので、黄銅やベリリウム銅やリン青銅等を挙げることができる。
【００１２】
最初に、図４（Ａ）の第一コンタクト１４について説明する。前記第一コンタクト１４は図４（Ａ）のように倒略Ｈ形状をし、少なくとも前記ＦＰＣ６４と接触する接触部２６（図４（Ａ）の図面の上側）と基板９０等に接続する接続部４０と前記ハウジング１２に固定する固定部３８と連結支点部３０と回動部材１８によって押圧される押受部３２を備えている。前記接触部２６と前記押受部３２とは略クランク状の板状片の第一片２２の両端に設けられ、前記押受部３２の先端には内側に突出した突出部４２が設けられている。本実施例では前記回動部材１８の押圧部５４の回動をコンパクトな回転にするために設けているが、絶対的に設けなければならないものではない。一端側に前記接触部２６と対向する方向に延設された延設部３６と他端側に基板９０と接続する接続部４０とを有する第ニ片２４を備え、前記第一片２２と前記第二片２４はほぼ中間付近で連結支点部３０によって連結されている。前記接触部２６と前記連結支点部３０と前記接続部４０とは略クランク形状に配置されており、前記接続部４０には前記押受部３２側に突出するような突出台４４が設けられ、かつ、前記突出台４４の所定の位置には前記回動部材１８の支点として回動させるための凹部４７が設けられ、前記押受部３２と前記突出台４４の凹部４７との間で前記回動部材１８の押圧部５４が回動するようなっている。上下に配置された前記第一コンタクト１４の凹部４７間（押受部３２間）で、前記回動部材１８の押圧部５４が垂直になった際に、それぞれの前記押受部３２が均等に押圧されることにより、前記接触部２６がＦＰＣ６４方向に変位することで前記接触部２６が前記ＦＰＣ６４に接続するようになる。前記凹部４７の大きさ（深さ）はこのようなことを考慮して適宜設計する。前記凹部４７が設けられていない場合の上下に配置された前記突出台４４の間隔も同様である。本実施例では前記コンタクト１４の連結支点部３０付近に、前記嵌合口２０と反対方向に傾斜する傾斜部２８が設けられている。該傾斜部２８を設けることで、低背化を図っている。また、前記突出台４４または前記凹部４７は前記回動部材１８の押圧部５４が回動する際に安定した回動をするために、押受部３２と接続部４０との間の間隔を調整するためのものであり、突出量または深さはこのようなことを考慮して適宜設計する。
【００１３】
前記接続部４０の配置位置としては、上下に配置された基板９０のランド位置や基板９０のパターン位置や狭スペース等を考慮して適宜設計する。即ち、前記接続部４０は要求仕様に応じて、前記接触部２６に対向する側や前記押受部３２に対向する側に設けられることになり、また、ランドの位置によっては千鳥に設けることもあり、さらにまた、要求仕様によっては上下逆なることもある。前記第一コンタクト１４では、前記接続部４０を前記押受部３２に対向する側に設けており、要求仕様によって前記第一コンタクト１４を上下逆に前記ハウジング１２へ挿入している。前記接触部２６は、ＦＰＣ６４と接触し易いように凸部形状にしており、前記接続部４０は本実施例では図４（Ａ）のように表面実装タイプ（ＳＭＴ）にしているが、ディップタイプでも良い。本実施例では、前記第一コンタクト１４では、前記連結支点部３０から前記接触部２６に対向するように延設部３６を設けている。
【００１４】
前記連結支点部３０と前記押受部３２とは、前記ＦＰＣ６４が挿入された際に、次のような作用を果たすための部分である。前記ＦＰＣ６４が前記ハウジング１２の嵌合口２０内に挿入された後に、前記回動部材１８の押圧部５４が前記コンタクト１４の接続部４０の突出台４４（または前記凹部４７）と押受部３２との間で回動すると、前記押受部３２が押圧部５４によって押し上げられることで前記コンタクト１４の連結支点部３０の下端（図４（Ａ）の下側）を支点にし、前記コンタクト１４の連結支点部３０の上端が前記接触部２６側に傾くことによって、前記接触部２６が前記ＦＰＣ６４側に押圧される。前記連結支点部３０と前記押受部３２の大きさや形状は、このような作用を果たすために、適宜設計されている。また、前記コンタクト１４の押受部３２の先端に突出部４２を設け、前記回動部材１８の押圧部５４を前記コンタクト１４の押受部３２と接続部４０の突出台４４との間で回動させるとき、前記回動部材１８の係止孔５８に係合させることで、前記回動部材１８の回動に対する強い反発力に対抗することが望ましい。前記突出部４２の大きさは、このような役割を果たすことが出来れば如何なる大きさでもよく、前記回動部材１８の係止孔が引っ掛かる程度に適宜設計する。
【００１５】
次に、第二コンタクト１６について説明する。ここでは、上述した第一コンタクト１４との相違部分についてのみ説明する。前記第二コンタクト１６も図４（Ｂ）のように前記第一コンタクト１４と同様に倒略Ｈ字形状をしており、主にＦＰＣ６４と接触する接触部２６（図４（Ｂ）の図面の上側）と基板９０に接続する接続部４０とハウジング１２に固定する固定部３８と連結支点部３０と前記回動部材１８のよって押圧される押受部３２とを備えている。これらの前記接触部２６と前記連結支点部３０と前記接続部４０は、略倒Ｕ字形状に配置されている。前記接続部４０は、前記第一コンタクト１４と同様に表面実装タイプ（ＳＭＴ）にしているが、ディップタイプでも良い。
【００１６】
前記第一コンタクト１４と前記第二コンタクト１６の相違点は、幾分形状的な違いはあるものの前記接続部４０と前記延設部３６とが逆にしただけである。即ち、前記第一コンタクト１４では、前記接続部４０を前記押受部３２と対向する側に、前記延設部３６を前記接触部２６と対向する側に設けているのに対し、前記第二コンタクト１６では、前記接続部４０を前記接触部２６と対向する側に、前記延設部３６を前記押受部３２と対向する側に設けている。前記第二コンタクト１６では、前記接続部４０を前記接触部２６に対向する側に設けており、要求仕様によって前記第二コンタクト１６を上下逆に前記ハウジング１２へ挿入している。前記回動部材１８の押圧部５４は、前記第一コンタクト１４の突出台４４（または凹部４７）と前記第二コンタクト１６の押受部３２の間で回動すると、前記第二コンタクト１６の接触部２６が前記ＦＰＣ６４と接続するような構造になっている。上下に配置された前記第一コンタクト１４の突出台４４（凹部４７）と前記第二コンタクト１６の押受部３２との間で、前記回動部材１８の押圧部５４が垂直になった際に、それぞれの前記押受部３２が均等に押圧されることにより、前記接触部２６がＦＰＣ６４方向に変位することで前記接触部２６が前記ＦＰＣ６４に接続するようになる。
【００１７】
ここで、前記回動部材１８の押圧部５４の移動及び回動の仕方について図９に基づいて説明する。
第一に、図９（Ａ）のように前記接続対象物と前記コネクタ１０との接続前の状態で、前記押圧部５４の下端７０側が前記押受部３２の突出部４２と接続部４０の突出台４４との間に位置する。
第二に、図９（Ｂ）のように前記操作部５６を回動（図面の時計回り方向）させると前記押圧部５４が嵌合口２０と反対方向に移動し、前記押圧部５４の下端７０側が前記押受部３２の突出部４２と接続部４０の突出台４４との間に挟持される。
第三に、図９（Ｃ）のように前記操作部５６をさらに回動させると第ニの位置で前記押圧部５４が押圧部５４の中心を回転軸７２として回動する。
第四に、図９（Ｄ）のように前記操作部５６をさらに回動させると第三の位置で前記押圧部５４が押圧部５４の中心を回転軸７２として回動し、前記押圧部５４が前記押受部３２と前記接続部４０の突出台４４との間でほぼ垂直になり回転軸７２が前記突出部４２に接した上端６８側に移動する。
第五に、図９（Ｅ）のように前記操作部５６をさらに回動させると第四の位置で前記押圧部５４が前記突出部４２に接した上端６８側を中心に回動し、前記押圧部５４を前記突出部４２に引っ掛かった状態に係合させる。
即ち、前記押圧部５４は最初は移動し、その後回動し、さらに回動を続けると回転軸７２が変化して、省スペース間でコンパクトな回動（回転）を行なうものである。
つまり、本発明のコネクタ１０では、前記ＦＰＣ６４等の接続対象物を嵌合口２０内に挿入する際に挿入力の掛からない（所謂、ゼロ・インサーション・フォース（ＺＩＦ））構造で、前記回動部材１８の押圧部５４をより前記コンタクト１４、１６の突出部４２側で回動させる（より突出部４２側で前記コンタクト１４、１６の押受部３２を押し上げる）ことで小さな力で前記回動部材１８をロックできる構造で、かつ、前記回動部材１８の押圧部５４でより前記コンタクト１４，１６の突出部４２側の押受部３２を押し上げることで高い接触力を得られる構造になっている。
【００１８】
次に、回動部材１８について説明する。前記回動部材１８は図３のように略棒状をしており、前記回動部材１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記回動部材１８は主に前記ハウジング１２に回動可能に装着される軸部分と前記第一コンタクト１４と前記第二コンタクト１６の押受部３２を押圧する押圧部５４と前記第一コンタクト１４と前記第二コンタクト１６の突出部４２が係合する係止孔５８と操作部５６とを備えている。前記軸は、回動部材１８を回動するための支点であり、ハウジング１２の長手方向両側に回動部材１８が回動可能に適宜装着され、上述したように前記押圧部５４が回動する際に回転軸７２が変化するように前記軸と前記ハウジング１２の軸受け部との関係ではクリアランスを設けている。
【００１９】
前記回動部材１８の前記押圧部５４は、前記第一コンタクト１４と前記第二コンタクト１６の押受部３２に押し付ける部分であり、その形状としては細長形状にすることが望ましく、本実施例では楕円形状をしている。このように楕円形状にすることによって、回動部材１８を回動させ、前記第一コンタクト１４と前記第二コンタクト１６の押受部３２と接続部４０の突出台４４（凹部４７）との間で回転させることで、押圧部５４の大きさの変化により前記第一コンタクト１４と前記第二コンタクト１６の押受部３２が持ち上げられ、ＦＰＣ６４を前記第一コンタクト１４と前記第二コンタクト１６の接触部２６側に押し付けている。押圧部５４の形状としては、前記第一コンタクト１４と前記第二コンタクト１６の押受部３２と接続部４０の突出台４４（凹部４７）との間で回転でき、長軸と短軸といった大きさの違いにより前記第一コンタクト１４と前記第二コンタクト１６の押受部３２を押し上げられれば、如何なるものでもよい。前記押圧部５４の形状や大きさは、このようなことを考慮して適宜設計する。また、前記回動部材１８には、操作性を考慮して、操作部５６が設けられている。特徴的なのは、前記第一コンタクト１４の押受部３２と突出台４４（凹部４７）との間で回動することで、前記第一コンタクト１４と前記第二コンタクト１６の押受部３２を押し上げて、前記第一コンタクト１４と前記第二コンタクト１６の接触部２６をＦＰＣ６４に接触させている。
【００２０】
前記回動部材１８を回動した際に、前記回動部材１８の回動に対する反発力が強い為に、前記第一コンタクト１４と前記第二コンタクト１６の突出部４２が係合する係止孔５８が別個独立に設けられている。前記係止孔５８を別個独立に設けることで、前記回動部材１８の強度アップや回動時の変形を防止している。
上述した前記回動部材１８は前記ハウジング１２の嵌合口２０と反対側（前記第一コンタクト１４の接続部側）に回動自在に装着されている。
【００２１】
最後に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２２】
前記ハウジング１２には、所要数の前記第一コンタクト１４と前記第二コンタクト１６が装着される挿入孔４８が設けられており、圧入や引っ掛け（ランス）や溶着等によって固定されている。前記挿入孔４８は、前記第一コンタクト１４と前記第二コンタクト１６が上下逆に挿入できるような構造にしている。つまり、前記第一コンタクト１４（前記第二コンタクト１６）の接続部４０、４０が下側でも、上側でも挿入でき、上下に配置された基板９０に接続できる構造ということである。また、前記ハウジング１２には前記ＦＰＣ６４が挿入される嵌合口２０が設けられ、前記嵌合口２０の大きさは前記ＦＰＣ６４が挿入でき、前記ＦＰＣ６４が挿入された際に前記回動部材１８で前記第一コンタクト１４と前記第二コンタクト１６に押圧できるように適宜設計されている。前記ハウジング１２の長手方向両側には、前記回動部材１８の軸が回動可能に装着される軸受部が設けられている。前記軸と前記軸受けとの関係は、上述したような前記回動部材１８の押圧部５４のコンパクトな回転が可能なようにクリアランスが設けられている。この軸受部の形状や大きさは、回動部材１８の軸が回動でき、前記押圧部５４のコンパクトな回転が可能なように装着されていれば如何なるものでもよく、この役割やハウジング１２の強度や大きさ等を考慮して適宜設計する。
【００２３】
前記ハウジング１２には、前記第一コンタクト１４と前記第二コンタクト１６の接触部２６、２６を被覆する天井部５０が設けられており、かつ、前記コンタクト１４、１６の押受部３２を覆うとともに前記天井部５０に連設する上壁部５２が設けられている。前記天井部５０と前記上壁部５２は、前記コンタクト１４、１６の防塵性を高めるためのものであり、その大きさや形状はこの役割や前記ハウジング１２の強度や前記回動部材１８の回動性や強度等を考慮して適宜設計する。低背化を考慮して、前記ハウジング１２の肉厚は出来るかぎり薄くしている。本実施例では前記上壁部５２の厚さを０．３ｍｍにし、上壁部５２と反対側の壁の厚さを０．４ｍｍ程度にしている。
【産業上の利用可能性】
【００２４】
本発明の活用例としては、薄型プラズマテレビやノートパソコン等の電気又は電子機器に使用されるＦＰＣ６４を使用したコネクタに活用され、特に上下に配置された基板に接続できるコネクタの構造に関するものである。
【図面の簡単な説明】
【００２５】
【図１】（Ａ）  嵌合口側（ＦＰＣ挿入側）よりみた回動部材が開いた状態のコネクタの斜視図である。（Ｂ）  接続部（第一コンタクトの接続部）側からみた回動部材が開いた状態のコネクタの斜視図である。
【図２】ハウジングの斜視図である。
【図３】回動部材の斜視図である。
【図４】（Ａ）  第一コンタクトの斜視図である。（Ｂ）  第二コンタクトの斜視図である。
【図５】（Ａ）  回動部材が開いた状態で、接続部が下側の基板と接続する状態の第一コンタクト部分の断面図である。（Ｂ）  回動部材が開いた状態で、接続部が上側の基板と接続する状態の第一コンタクト部分の断面図である。
【図６】（Ａ）  回動部材が開いた状態で、接続部が下側の基板と接続する状態の第二コンタクト部分の断面図である。（Ｂ）  回動部材が開いた状態で、接続部が上側の基板と接続する状態の第二コンタクト部分の断面図である。
【図７】（Ａ）  ＦＰＣが挿入され、回動部材が閉じた状態で、接続部が下側の基板と接続する状態の第一コンタクト部分の断面図である。（Ｂ）  ＦＰＣが挿入され、回動部材が閉じた状態で、接続部が上側の基板と接続する状態の第一コンタクト部分の断面図である。
【図８】（Ａ）  ＦＰＣが挿入され、回動部材が閉じた状態で、接続部が下側の基板と接続する状態の第二コンタクト部分の断面図である。（Ｂ）  ＦＰＣが挿入され、回動部材が閉じた状態で、接続部が上側の基板と接続する状態の第二コンタクト部分の断面図である。
【図９】回動部材の押圧部の移動及び回動の仕方を説明する図面である。
【符号の説明】
【００２６】
１０        コネクタ
１２        ハウジング
１４        第一コンタクト
１６        第二コンタクト
１８        回動部材
２０        嵌合口
２２        第一片
２４        第二片
２６        接触部
２８        傾斜部
３０        連結支点部
３２        押受部
３６        延設部
３８        固定部
４０        接続部
４２        突出部
４４        突出台
４７        凹部
４８        挿入孔
５０        天井部
５２        上壁部
５４        押圧部
５６        操作部
５８        係止孔
６４        ＦＰＣ
６８        下端
７０        上端
７２        回転軸
９０        基板
【図１】
2008305565.tif 000003
【図２】
2008305565.tif 000004
【図３】
2008305565.tif 000005
【図４】
2008305565.tif 000006
【図５】
2008305565.tif 000007
【図６】
2008305565.tif 000008
【図７】
2008305565.tif 000009
【図８】
2008305565.tif 000010
【図９】
2008305565.tif 000011